(57)【特許請求の範囲】
【請求項１】
円板状に形成された取り付け金具の一方の面が取り付け面に固定され、外囲器を備えたスピーカ本体が、前記取り付け金具の前記取り付け面側とは反対側の面である前面に、前記外囲器の背面を当接させて配置され、前記スピーカ本体は、前記外囲器の背面に垂直なスピーカ本体の中心線に所定の角度で交差する音の放射方向中心軸を有するスピーカ体を備え、前記取り付け金具の前面に配置されており、前記スピーカ本体を前記取り付け金具に対して取り付け及び取り外し可能な結合手段が、この結合手段の前記取り付け金具への取付位置を前記中心線の回りの所望回転位置に変更して前記スピーカ本体を固定可能であるスピーカ。
【請求項２】
請求項１に記載のスピーカにおいて、前記結合手段が、前記取り付け金具の外周部分に環状に形成された接触部と、前記スピーカ本体の背面に近い外周部分の複数箇所に設けた係合金具とを有し、前記スピーカ本体の背面を前記取り付け金具前面に当接させた状態で、前記係合金具が前記取り付け金具の接触部を押圧した状態と、非押圧の状態とのうち選択された状態をとるスピーカ。
【請求項３】
請求項１または２に記載のスピーカにおいて、前記スピーカ本体を前記中心線の回りに前記回転位置の調整のために回転させることが可能に、前記取り付け金具の前面部分に設けた第１の環状の嵌合部が、前記スピーカ本体の背面部分に設けた第２の環状の嵌合部に、嵌合しているスピーカ。
【請求項４】
請求項２または３に記載のスピーカにおいて、前記取り付け金具が、前記接触部よりも半径方向内側位置の前記取り付け面側に第１環状パッキンを介して前記取り付け面に取り付けられ、前記取り付け金具と前記スピーカ本体とが、前記取り付け金具の前記接触部の半径方向位置の前面とこれに対向する前記スピーカ本体背面との間に第２環状パッキンを介在させて前記結合手段により結合されているスピーカ。
【請求項５】
請求項１、２、３または４に記載のスピーカに、前記スピーカ本体及び前記取り付け金具を前面から被うドーム形状のメッシュカバーを設けたスピーカ。
【発明の詳細な説明】
【０００１】
【発明の属する技術分野】
本発明は、主に屋外に取り付けられ音の放射方向を調節可能なスピーカに関する。
【０００２】
【従来の技術】
一般に、屋外に取り付けられるスピーカは、風雨に曝されるため、防水、防滴構造が必要である。従来、このような防水性を備えたスピーカは、密閉容器状の外囲器で包囲し、外気と接触する振動板を防水性のものとした構成のものが公知である。この種のスピーカの設置は、音の放射方向の調節が必要であるから、スピーカ取付け面にアームで支持される強固な支持金具を取付け、その支持金具にスピーカの外囲器を鉛直軸回りに回転調節可能に支持させる構成になっている。従って、音の放射方向中心軸を所望の平面に沿った回転位置として設置できる。また、別に防水面で類似の技術として、簡単な照明を屋外に取り付ける場合の防水構造が考えられが、照明器具では防水カバーを備えており、壁面等の取付け面に取り付けた後で、壁面と防水カバーとの間に施工後に固化する例えばプラスチック製の防水シールを施すことが行われている。しかし、この場合は後で方向を簡単に変更するようなことは考慮されていない。
【０００３】
【発明が解決しようとする課題】
従来の音の放射方向を調節可能な防水性を備えたスピーカは、アームを有する強固な金具を使用して取り付けるために、例えば建築物の外壁面等に取り付ける場合に、壁面から大きく突出して建築物の意匠と不釣り合いになることが多い問題があった。また、前記照明器具のように取り付け後にシールを施すものでは、壁面に略沿った防水カバーを設けて壁面から殆ど突出しない構成とすることが可能であるが、スピーカは指向性があるために、取り付けを行った後に音の放射方向を調節することやメンテナンスのために簡単に取り外すことができない問題がある。
本発明は、取付け面からの突出量が比較的小さく周辺意匠を損ないにくく、取り付け後にも取り外しや音の放出方向の調節が可能であり、防水性の付与が容易であるスピーカを提供することを目的とする。
【０００４】
【課題を解決するための手段】
本発明の手段では、円板状に形成された取り付け金具の一方の面が取り付け面に固定されている。外囲器を備えたスピーカ本体が、前記取り付け金具の前記取り付け面側とは反対側の面である前面に、前記外囲器の背面を当接させて配置されている。前記スピーカ本体は、前記外囲器の背面に垂直なスピーカ本体の中心線に所定の角度で交差する音の放射方向中心軸を有するスピーカ体を備えている。前記取り付け金具の前面に配置された前記スピーカ本体を前記取り付け金具に対して取り付け及び取り外し可能な結合手段が、この結合手段の前記取り付け金具への取付位置を前記中心線の回りの所望回転位置に変更して前記スピーカ本体を固定可能である（請求項１）。
【０００５】
本発明の手段では、例えば、垂直壁面にスピーカを設置する場合、先ず取付け金具を壁面に固定し、次にこの取付け金具にスピーカ本体を結合手段により取り付ける。スピーカ本体は本体背面に垂直な中心線が金具及び取付け面にも垂直であり、この中心線の回りにスピーカ本体を回転させることにより音の放射方向中心軸を所望の方向として固定する。音の放射方向は、音の放射方向中心軸がスピーカ本体の中心線に所定の角度で交差しているから、スピーカ本体を回転させると交差角度の２倍の角度範囲で、左右及び上下に方向を変えられる。すなわち、例えばその交差角度を５０°として斜め前方に音が放射されるようにした場合、スピーカ本体を回転させると音の放射方向中心軸が頂角１００°の円錐面に沿って回転するから、左右方向には最大で１００°の変更ができ、その時は音の放射方向中心軸が水平向きで斜め横向きであり、その間の中間位置では５０°斜め下向き（又は上向き）で正面向きである。従って、これらの間を連続的に変更可能である。
【０００６】
そして、本発明では取付け金具が円板状で厚さ寸法を小さくすることが可能であり、スピーカ本体背面が円板状取付け金具前面に当接するように配置されて結合手段により結合される構成であるから、スピーカ本体の回転位置を変更するための回転支持構造が取付け面に極めて接近した状態で、しかも取付け面に垂直な回転中心軸線方向の長さが短くて良く、従来の取付け面に平行な軸線の回りに回転させる構成のように支持用のアーム等を取付け面から突出させないでよい。従って、取付け面から大きく突出する支持アームのようなものを設けないでよいから、建築物の壁面等にスピーカを設置したとき、建築物の意匠を損ない難い。
【０００７】
前記手段において、前記結合手段が、前記取り付け金具の外周部分に鍔状に形成された接触部と、前記スピーカ本体の背面に近い外周部分の複数箇所に設けた接触金具とを有し、前記スピーカ本体の背面を前記取り付け金具前面に当接させた状態で、前記接触金具が前記取り付け金具の接触部を押圧した状態と、非押圧の状態とのうち選択された状態をとるようにすることができる（請求項２）。
【０００８】
前記手段（請求項１又は請求項２）において、前記スピーカ本体を前記中心線の回りに前記回転位置の調整のために回転させることが可能に、前記取り付け金具の前面部分に設けた第１の環状の嵌合部が、前記スピーカ本体の背面部分に設けた第２の環状の嵌合部に、嵌合している構成とすることができる（請求項３）。環状の嵌合部の存在によってスピーカ本端の回転操作が円滑に行われるから、スピーカの音の放射方向の調節操作が容易になる。
【０００９】
前記手段（請求項２又は３）において、前記取り付け金具が、前記接触部よりも半径方向内側位置の前記取り付け面側に第１環状パッキンを介して前記取り付け面に取り付けられ、前記取り付け金具と前記スピーカ本体とが、前記取り付け金具の前記接触部の半径方向位置の前面とこれに対向する前記スピーカ本体背面との間に第２環状パッキンを介在させて前記結合手段により結合されている構成とすることもできる（請求項４）。この構成では、スピーカ本体に防水構造を採用して、第１、第２環状パッキンを設けることで、防水型スピーカとすることができ、しかも壁面からの突出量が大きくならない。第１、第２環状パッキンの半径方向内側部分が防水されるので、取り付け金具のこの内側部分に電線挿通孔を穿設して通常取り付け面に開口させる電工ボックスに連通する電線通路とスピーカ本他背面に設けられる端子部設置空間とを防水状態で連通させることができる。また、この取り付け金具のパッキン位置内側には取り付け金具を取り付け面に固定する取り付けねじの挿通孔を穿設するが、取付部が外観に現れないのでよい。
【００１０】
前記手段（請求項１、請求項２、請求項３または請求項４）のスピーカに、前記スピーカ本体及び前記取り付け金具を前面から被うドーム形状のメッシュカバーを設ける構成とすることもできる（請求項５）。この構成では、音の放射方向を変更調節できるスピーカでありながら、支持アーム等の調節構造を有しないから、ドーム形のメッシュカバー内面をスピーカ本体外面に極めて接近させて設けても全体を包囲することができ、しかも比較的小さいものにでき、アーム等の支持部等が全く外観に現れないから、スピーカ取り付け位置周辺の建築物の意匠を損ない難い。
【００１１】
【発明の実施の形態】
本発明の一実施の形態を図１〜図４を用いて説明する。このスピーカ１は、取付け金具２、スピーカー本体３、結合手段４等で構成されている。取付け金具２は、図１、図４に示すように、金属板をプレス成形して円板状に形成されたものであり、一方の面をスピーカー１を取り付ける壁面等の取付け面１１に当接して取り付けられる背面１０とし、他方の面をスピーカー本体３を取り付ける前面１２としてある。取付け金具２の外周縁部には、取付け面１１との間に小間隙が形成されるように２つの環状の段１３、１４が形成されている。段１３の半径方向内側の部分の背面１０の側は、図示のように取付け面１１に面接触する部分である。この段１３と取付け面１１との間の空隙には、環状の第１パッキン４７が介在させられる。また、段１３の内側部分には、図１、図３に示すように、幾つかのねじ挿通孔１５、中央部に１個の電線挿通孔１６が前後に貫通して穿設されている。このねじ挿通孔１５の幾つかを使用して、図４に示すように、ねじ１７により取付け面１１に取付け金具が取り付けられ、この時第１パッキン４７が両面から押圧されてシール状態となる。
【００１２】
スピーカ本体３は、前部材２０、後面部材２１、主スピーカ体２２、補助スピーカ体２３等からなる。前部材２０と後面部材２１とは、主スピーカ体２２及び補助スピーカ体２３を外部に音を放射できるように内部に収容する外囲器を構成するものである。前部材２０は、略円形ドーム形のやや偏平な容器状をなし、図２に示すように、表面の中心位置から外れて凹所２４を設けてあり、この凹所２４内に音の放射部を外面に露出させてスピーカ体２２、２３が前部材２０内に設置され、後部開口を略円板状の後面部材２１で閉じられている。この例では主スピーカ体２２はコーンスピーカで、補助スピーカ体２３はツイータであり、略同じ方向に向けてある。主スピーカ体２２の設置方向は、図１に示すように、スピーカ本体３の前後方向の中心線２５に対して、すなわち、後面部材２１の面に垂直で中心を通る直線に対して、音の放射方向中心軸２６が所定角度θ傾斜して中心線２５と交差している。例えば、θ＝６０°である。後面部材２１は前部材２０の後側の開口を閉じる大きさの円板状のもので、後面に取付け金具２の段部１４による前面１２の凹部の内側位置に略嵌合する環状突部３７を有し、環状凸部３７の外側部分の後面にパッキン座を形成し、これに環状の第２パッキン４８を設置してあり、更にその外方の後面部材２１の外周部分を前部材２０の後側開口の周縁部に合致するフランジ状に形成されている。この前部材２０とその開口を閉じるように配置された後面部材２１とはフランジ部とねじ結合してもよいが、この例では後述するように結合手段４で兼用してある。
【００１３】
また、前部材２０にはその外面に接近してメッシュカバー２７が装着される。メッシュカバー２７は、パンチングによる多数の小孔を全面に設けたアルミの板材を成形したものでドーム形に形成され、前部材２０を小間隙を隔てて覆う形状である。メッシュカバー２７を装着する取付け構造は、図２に見られる前部材２０の外周部分の３個の凹所３２に背面側から前方へ向かって結合用凸部２８を突設し、これに対応して図４に見られるようにメッシュカバー２７側に弾性嵌合片２９を支持した内側縁部３０をカバー枠３１に設けてある。弾性嵌合片２９は薄い板ばねに円孔を穿設しその内縁に幾つかの切り込みを設けてあり、結合用凸部２８は外周に雄ねじを有すねじ３６で形成してあり前記円孔に圧入すると弾性嵌合して保持される。３個の凹所３２は後述する結合手段４のねじ４６との関連で中心寄りに拡大して設けてある。カバー枠３１はスピーカ本体３の後部外周を包囲する環状のもので、後端がメッシュカバー２７の装着状態で取付け面１１に当接する。メッシュカバー２７は着脱可能であり、前部材２０の結合用凸部２８に、弾性嵌合片２９を嵌合させることで装着状態となる。結合用凸部２８と弾性嵌合片２９との結合は弾性的であるから大きい力で外すことができる。
【００１４】
結合手段４は、前述した取り付け金具２の段部１４、３組の係合金具４２、その支持及び締め付け用のねじ４６等で構成されている。その１組について説明すると、係合金具４２は、金属板で形成されており、図３、図４に示すように、背面形状が略Ｌ字状をなし、一方の伸延部分の先端部が係合部４３に、他方の伸延部分が操作部４４に形成され、双方の伸延部分の共通の基端部に１個のねじ孔４３を穿設され、側面形状は図４に見られるように、係合４３に至る途中が段をなして伸延するように屈曲している。この係合金具４２は、スピーカ本体３の前部材２０の凹所３２から、前部材２０及び後面部材２１の外周近くのフランジ状部分を貫通して設けたねじ挿通孔３３にねじ４６を挿通し、そのねじ４６の挿通孔３３をでたねじ部と、係合金具４２のねじ孔４５とが螺合している。なお、図３における３５は後面部材２１の外周に設けた切り欠きである。
【００１５】
結合手段４の結合状態は、図４及び図３の上側部分に示すような位置関係で、ねじ４６を締め付けた状態であり、係合金具４２のねじ孔４５の周辺部が、後面部材２１に形成された切り欠き円筒状の受け台３４に押しつけられ、更に前部材２０と後面部材２１とが押圧結合され、係合金具４２の係合部４３が取り付け金具２の外周部分の段部１４の背面の接触部４１を押圧している状態である。従って、スピーカ本体３が、外周付近の３箇所でそれぞれに係合金具４２を介して、取り付け面１１に取り付けられた取り付け金具２に結合固定されている。
【００１６】
また、この結合状態はねじ４６を緩めることによって緩み、係合金具４２をその操作部４４を操作してねじ４６の回りに回動させることができるようになる。３個の係合金具４２を、図３の下方左側の部分に示すように、係合部４３が段部１４の接触部４１に係合しない位置に回動させると、スピーカ本体３を取り付け金具２から外すことが出来る。係合金具４２を回動させないで緩めただけの状態では、スピーカ本体３をその中心２５を略中心として回転させる事ができる。このとき背面部材２１の背面の環状凸部３７が段１４の段差部内の内側に嵌合した状態にあるから、スピーカ本体３を容易に回転させることができる。
【００１７】
このような構成のスピーカ１は、例えば建築物の外壁、内壁、天井、場合によっては床面に設置して使用される。設置の手順の概略は、その設置状態を図１、図４に示すように、取付け金具２を取付け面１１に取付け、すなわち、取付けねじ１７によって取付け、スピーカ本体３を結合手段によって取付け、すなわち、係合金具４２を回動させることにより段１４でる係合部４１に係合させてからねじ４６を締め込み、この時主スピーカ体２２の音の放射方向中心軸２６を所望の方向に調節しておき、次にメッシュカバー２７を装着して終わる。なお、予め電線等は電線挿通孔１６をとおして接続しておく。従って、スピーカ１の設置作業は極めて簡単である。なを、防水性が必要でない用途では第１、第２パッキン４７、４８を省略した構成とすればよい。
【００１８】
また、このスピーカ１は、主スピーカ体２２の音の放射方向中心軸２６が、スピーカ本体３を中心線２５を中心に回転させることにより前方へ拡大するような円錐面に沿って回転するから、その範囲内で音の放射方向を調節することが可能である。そして、このように音の放射方向を調節することが可能でありながら、外観が、全体をメッシュカバー２７で覆われた偏平なドーム形であることから、設置したときに極端に目立つ部分がなく、周辺の建築物の意匠を損なうことが少ない。
【００１９】
【発明の効果】
請求項１に記載の発明は、音の放射方向中心軸の調節のための回転中心線を取付け面に垂直とし、取付け金具を円板状とし、音の放射方向中心軸を回転中心線に所定角度で交差するものとしたことにより、アーム等の突出物がなくて音の放射方向を変更可能で建築物等の意匠を損ないにくいスピーカとすることができる効果を奏する。
請求項２に記載の発明は、スピーカの設置作業が容易となる効果を奏する。
請求項３に記載の発明は、スピーカの音の放射方向の調節操作が容易になる効果を奏する。
請求項４に記載の発明は、スピーカを防水型としたことにより、建築物の外壁面等に設置できるものでありながら、建築物の外側の意匠を損ない難い効果を奏する。
請求項５に記載の発明は、スピーカ取付け位置周辺の建築物の意匠を損ない難い効果を奏する。
【図面の簡単な説明】
【図１】本発明の一実施の形態を示す図２のものにメッシュカバーを装着し取付け面に取付けた状態の中央縦断面図である。
【図２】同実施の形態のメッシュカバーを除去した状態の正面図である。
【図３】同実施の形態の背面図である。
【図４】図１の部分拡大図である。
【符号の説明】
１      スピーカ
２      取付け金具
３      スピーカ本体
４      結合手段
１０    背面
１１    取付け面
１２    前面
１３    段
１４    段
１５    ねじ挿通孔
１６    電線挿通孔
１７    取付けねじ
２０    前部材
２１    後面部材
２２    主スピーカ体
２３    補助スピーカ体
２４    凹所
２５    中心線
２６    音の放射方向中心軸
２７    メッシュカバー
２８    結合用凸部
２９    弾性嵌合片
３０    内縁部
３１    カバー枠
３２    凹所
３３    ねじ挿通孔
３４    受け台
３５    切り欠き
３６    ねじ
３７    環状凸部
４１    係合部
４２    係合金具
４３    係合部
４４    操作部
４５    ねじ孔
４６    ねじ
４７    第１環状パッキン
４８    第２環状パッキン
【図１】
0003691278.tif 000002
【図２】
0003691278.tif 000003
【図３】
0003691278.tif 000004
【図４】
0003691278.tif 000005